(57)【要約】      （修正有）【課題】測定部と頭部との間に毛髪が挟まることを抑制し、毛髪によって測定に支障がきたすことや測定の精度が低下することを抑制できる生体測定装置を提供する。【解決手段】測定装置は、近赤外分光法を用いて頭部に向けて近赤外光を照射し、頭部によって拡散反射された近赤外光を検出し、検出結果を基に生体機能を測定する。光源収納部１１は、光源収納部１１の外周面１１ｃ側に配設される光源櫛部１１ｅを有する。検出収納部２１は、検出収納部２１の外周面２１ｃ側に配設される検出櫛部２１ｅを有する。【選択図】図３Ａ
2017042200.tif 000002
【特許請求の範囲】
【請求項１】
近赤外分光法を用いて生体に向けて近赤外光を照射し、前記生体によって拡散反射された前記近赤外光を検出し、検出結果を基に生体機能を測定し、測定結果を管理する測定本体装置に前記測定結果を送信する生体測定装置であって、
筒形状の光源収納部と、前記光源収納部に収納され、前記生体に向けて前記近赤外光を出射する光源本体部とを有する光源部と、
筒形状の検出収納部と、前記光源本体部から出射された後に前記生体によって拡散反射された前記近赤外光を検出する検出本体部とを有し、前記光源部と対の関係を有し、前記光源部と共に１つのユニットを構成する検出部と、
前記光源部と前記検出部とを１つのユニットとして支持する支持部と、
前記支持部に配設され、前記光源収納部と前記検出収納部とに連接し、前記光源部と前記検出部とを一体にして前記光源部と前記検出部とを前記生体に密着させるために、前記光源部と前記検出部とを前記生体に押し付ける押し付け部と、
を具備し、
前記光源収納部は、前記光源収納部の外周面側に配設される光源櫛部を有し、
前記検出収納部は、前記検出収納部の外周面側に配設される検出櫛部を有することを特徴とする生体測定装置。
【請求項２】
近赤外分光法を用いて生体に向けて近赤外光を照射し、前記生体によって拡散反射された前記近赤外光を検出し、検出結果を基に生体機能を測定し、測定結果を管理する測定本体装置に前記測定結果を送信する生体測定装置であって、
筒形状の光源収納部と、前記光源収納部に収納され、前記生体に向けて前記近赤外光を出射する光源本体部とを有する光源部と、
筒形状の検出収納部と、前記光源本体部から出射された後に前記生体によって拡散反射された前記近赤外光を検出する検出本体部とを有し、前記光源部と対の関係を有し、前記光源部と共に１つのユニットを構成する検出部と、
前記光源部と前記検出部とを１つのユニットとして支持する支持部と、
前記支持部に配設され、前記光源収納部と前記検出収納部とに連接し、前記光源部と前記検出部とを一体にして前記光源部と前記検出部とを前記生体に密着させるために、前記光源部と前記検出部とを前記生体に押し付ける押し付け部と、
を具備し、
前記光源収納部は、前記光源収納部の外周面に配設され、前記光源収納部の中心軸に対して対称に配設される複数の光源羽板部を有し、
前記検出収納部は、前記検出収納部の外周面に配設され、前記検出収納部の中心軸に対して対称に配設される複数の検出羽板部を有することを特徴とする生体測定装置。
【発明の詳細な説明】
【技術分野】
【０００１】
本発明は、頭部等の生体の状態を光源部と検出部とを有する測定部にて測定する生体測定装置に関する。
【背景技術】
【０００２】
例えば特許文献１は、頭部に装着される測定装置を開示している。この測定装置が頭部に装着され、測定装置の測定部が頭部に密着した状態で、測定装置は近赤外分光法を用いて脳の活動を測定する。測定部は、光源部と検出部とを有する。
【先行技術文献】
【特許文献】
【０００３】
【特許文献１】特開２０１０−１６７０３９号公報
【発明の概要】
【発明が解決しようとする課題】
【０００４】
測定部が頭部に密着する際、測定部と頭部との間に毛髪が挟まれることがある。すると、測定部の光源部から発光される近赤外光が毛髪によって減衰し、測定に支障をきたすことがある。また、頭部に拡散反射された近赤外光が測定部の検出部によって検出される際にも、測定部と頭部との間に毛髪が挟まれていると測定の精度が低下する。
【０００５】
このため本発明は、上記事情に鑑み、測定部と頭部との間に毛髪が挟まることを抑制し、毛髪によって測定に支障がきたすことや測定の精度が低下することを抑制できる生体測定装置を提供することを目的とする。
【課題を解決するための手段】
【０００６】
本発明の生体測定装置の一態様は、近赤外分光法を用いて生体に向けて近赤外光を照射し、前記生体によって拡散反射された前記近赤外光を検出し、検出結果を基に生体機能を測定し、測定結果を管理する測定本体装置に前記測定結果を送信する生体測定装置であって、筒形状の光源収納部と、前記光源収納部に収納され、前記生体に向けて前記近赤外光を出射する光源本体部とを有する光源部と、筒形状の検出収納部と、前記光源本体部から出射された後に前記生体によって拡散反射された前記近赤外光を検出する検出本体部とを有し、前記光源部と対の関係を有し、前記光源部と共に１つのユニットを構成する検出部と、前記光源部と前記検出部とを１つのユニットとして支持する支持部と、前記支持部に配設され、前記光源収納部と前記検出収納部とに連接し、前記光源部と前記検出部とを一体にして前記光源部と前記検出部とを前記生体に密着させるために、前記光源部と前記検出部とを前記生体に押し付ける押し付け部と、を具備し、前記光源収納部は、前記光源収納部の外周面側に配設される光源櫛部を有し、前記検出収納部は、前記検出収納部の外周面側に配設される検出櫛部を有することを特徴とする。
【０００７】
本発明の生体測定装置の一態様は、近赤外分光法を用いて生体に向けて近赤外光を照射し、前記生体によって拡散反射された前記近赤外光を検出し、検出結果を基に生体機能を測定し、測定結果を管理する測定本体装置に前記測定結果を送信する生体測定装置であって、筒形状の光源収納部と、前記光源収納部に収納され、前記生体に向けて前記近赤外光を出射する光源本体部とを有する光源部と、筒形状の検出収納部と、前記光源本体部から出射された後に前記生体によって拡散反射された前記近赤外光を検出する検出本体部とを有し、前記光源部と対の関係を有し、前記光源部と共に１つのユニットを構成する検出部と、前記光源部と前記検出部とを１つのユニットとして支持する支持部と、前記支持部に配設され、前記光源収納部と前記検出収納部とに連接し、前記光源部と前記検出部とを一体にして前記光源部と前記検出部とを前記生体に密着させるために、前記光源部と前記検出部とを前記生体に押し付ける押し付け部と、を具備し、前記光源収納部は、前記光源収納部の外周面に配設され、前記光源収納部の中心軸に対して対称に配設される複数の光源羽板部を有し、前記検出収納部は、前記検出収納部の外周面に配設され、前記検出収納部の中心軸に対して対称に配設される複数の検出羽板部を有することを特徴とする。
【発明の効果】
【０００８】
本発明によれば、測定部と頭部との間に毛髪が挟まることを抑制し、毛髪によって測定に支障がきたすことや測定の精度が低下することを抑制できる生体測定装置を提供することができる。
【図面の簡単な説明】
【０００９】
【図１】図１は、本発明の第１の実施形態に係る、生体測定装置と制御装置と測定本体装置とを有する生体測定システムの概略図である。
【図２】図２は、図１に示す生体測定装置が頭部に装着された状態を示す斜視図である。
【図３Ａ】図３Ａは、第１の実施形態に係る、光源部と検出部とを有する測定部の分解斜視図である。
【図３Ｂ】図３Ｂは、光源収納部と検出収納部との正面図である。
【図４】図４は、リンク機構を示す斜視図である。
【図５】図５は、生体測定装置におけるケーブルの配線を示す概略図である。
【図６】図６は、束部材とケーブル保持部材とを示す斜視図である。
【図７Ａ】図７Ａは、前額部において光源櫛部が頭部に押し付けられる直前の状態を示す図である。
【図７Ｂ】図７Ｂは、前額部において光源櫛部が頭部に押し付けられた状態を示す図である。
【図８Ａ】図８Ａは、本発明の第２の実施形態に係る、光源部と検出部とを有する測定部の分解斜視図である。
【図８Ｂ】図８Ｂは、光源羽板部が頭部に押し付けられる直前の状態を示す上面図である。
【図８Ｃ】図８Ｃは、光源羽板部が頭部に押し付けられた状態を示す上面図である。
【発明を実施するための形態】
【００１０】
以下、図面を参照して本発明の実施形態について詳細に説明する。  
［第１の実施形態］  
［構成］  
図１と図２と図３Ａと図３Ｂと図４と図５と図６と図７Ａと図７Ｂとを参照して、第１の実施形態について説明する。なお図１において光源櫛部１１ｅと検出櫛部２１ｅとの図示を省略し、図４においてベルト６０の図示を省略するように、一部の図面では、図示の明瞭化のために、部材の一部の図示を省略する。
【００１１】
［生体測定システム（以下、測定システム１００と称する］  
図１に示すような測定システム１００は、例えば近赤外分光法（以下、ＮＩＲＳ：Ｎｅａｒ  ｉｎｆｒａｒｅｄ  ｓｐｅｃｔｒｏｓｃｏｐｙ）を用いて生体に向けて例えば透過性が高い近赤外光を照射し、生体によって拡散反射された光を受光及び検出する。測定システム１００は、検出した検出結果を基に生体に流れる血液中の例えばヘモグロビンの酸素状態を測定し、測定したヘモグロビンの酸素状態を基に生体の活動状態（生体機能）を測定し、この測定結果を管理する。近赤外光は、一般的に筋肉及び骨などの生体組織を透過し、血液中のヘモグロビンに吸収される性質を有するため、本実施形態では利用される。近赤外光の波長は、例えば、７００ｎｍ〜１０００ｎｍである。なお以下において、本実施形態では、生体の一例である頭部５及び頭部５の脳を用い、生体機能の一例である脳機能を用いて説明する。このような測定システム１００は、図１に示すように、前記したように生体機能である脳機能を測定する携帯型且つ小型な生体測定装置（以下、測定装置１と称する）と、測定装置１を制御する携帯型且つ小型な制御装置３と、制御装置３に例えば無線にて接続され、測定装置１が測定した測定結果をリアルタイムで表示し、この測定結果を保存及び管理し、携帯型且つ小型な測定本体装置１１０とを有する。
【００１２】
図２に示すように頭部５に装着される測定装置１は、ＮＩＲＳを用いて例えば頭部５に向けて近赤外光を照射し、脳によって拡散反射された光を受光及び検出する。そして測定装置１は、検出した検出結果を基に脳に流れる血液中の例えばヘモグロビンの酸素状態を測定し、測定したヘモグロビンの酸素状態を基に脳機能を測定する。なお測定装置１は、ＮＩＲＳを用いて脳機能を測定するが、これに限定される必要はない。測定装置１は、ＮＩＲＳを用いて生体（例えば頭部５）に向けて近赤外光を照射し、生体によって拡散反射された近赤外光を検出し、検出結果を基に生体機能を測定する生体測定装置として機能すればよい。測定装置１は、近赤外光によって、無侵襲にリアルタイムで測定する。図１に示すように、測定装置１は、例えば光ファイバなどの有線ケーブル２にて制御装置３に接続され、測定結果を制御装置３に送信する。
【００１３】
図１に示すような制御装置３は、測定装置１から送信された測定結果を測定本体装置１１０に送信するなど、測定本体装置１１０と無線通信を実施する。このように、測定装置１は、制御装置３を通じて無線によって測定本体装置１１０に接続され、制御装置３を介して測定本体装置１１０に測定結果を送信する。なお制御装置３は、例えば、測定装置１の初期設定と、計測の開始と停止と、測定結果の取得と一時保存と、測定装置１への電力供給と、測定本体装置１１０との無線通信とを制御する。
【００１４】
図１に示すような測定本体装置１１０は、測定結果を表示及び管理する例えばパソコンなどを有する。測定本体装置１１０は、制御装置３から例えば無線通信によって測定結果を受信し、測定結果を蓄積及び管理する。なお測定本体装置１１０は、例えば所定の情報を制御装置３に送信してもよい。測定本体装置１１０は、例えば無線通信等によって、複数の測定装置１に直接接続されてもよい。これにより、１台の測定本体装置１１０で、同時測定を一括で表示及び管理できる。
【００１５】
［測定装置１］  
図２に示すように、測定装置１は、子供または大人といった様々な被験者の頭部５（被装着体）に直接装着される帯である。測定装置１は、頭部５に装着される際、頭部５の周囲を囲む。本実施形態における脳とは例えば前頭葉を示し、頭部５は額を含む。測定装置１は、装着された状態で、脳機能を測定するヘッドセットタイプである。本実施形態の測定装置１は、装着時に補助者が不要となっており、被検者自らが容易に装着できるように頭部５に装着される装着体である。
【００１６】
図１と図２と図３Ａと図３Ｂとに示すように、測定装置１は、光源部１０と検出部２０とを有し脳機能を測定する測定部７と、測定部７に連接しており、測定部７を頭部５に密着させるために、測定部７を頭部５に押し付ける押し付け部である板ばね部４０とを有する。板ばね部４０は、測定部７に含まれてもよい。  
図１と図２と図４とに示すように、測定装置１は、板ばね部４０が着脱自在に取り付けられ、板ばね部４０を介して測定部７を支持する支持部３０を有する。  
図１と図２と図４とに示すように、測定装置１は、頭部５の周囲方向に沿って光源部１０と検出部２０とが互い違いに配設されるように支持部３０同士を数珠繋ぎに連結し、支持部３０を通じて光源部１０と検出部２０とを頭部５に密着させるために、連結した支持部３０を頭部５の周囲方向に回動させる回動性を有するリンク機構５０を有する。  
図１と図２とに示すように、測定装置１は、支持部３０に連結され、測定装置１を頭部５に装着させるベルト６０を有する。
【００１７】
［測定部７（光源部１０と検出部２０）］  
図１と図２と図３Ａと図３Ｂとに示すように、測定部７は、頭部５に向けて近赤外光を出射する光源部１０と、光源部１０から出射された後、脳によって拡散反射された光を検出する検出部２０とを有する。
【００１８】
図１と図２と図３Ａと図３Ｂとに示すように、光源部１０と検出部２０とは、板ばね部４０によって一体化し、ベルト６０の幅方向において互いに対向する。ベルト６０の幅方向とは、帯である測定装置１の幅方向でもある。このように光源部１０と検出部２０とは、対の関係を有しており、１つのユニットを構成し、板ばね部４０において、支持部３０によって１つのユニット毎に支持される。このような１組の光源部１０と検出部２０とは、ベルト６０の長手方向（頭部５の周囲）に沿って光源部１０同士または検出部２０同士が隣り合わないように互い違い且つ等間隔に配設される。ベルト６０の長手方向とは、帯である測定装置１の長手方向でもある。つまり板ばね部４０を介して支持部３０に支持される光源部１０と検出部２０とは、ベルト６０の幅方向に沿って２列配置される。
【００１９】
図１と図２とに示すように、ベルト６０の長手方向と幅方向とにおいて、光源部１０の隣には、検出部２０が配設されることとなる。このため光源部１０から出射された近赤外光は、隣り合う３つの検出部２０によって検出される。なおベルト６０の長手方向において、両端に配設される光源部１０から出射された近赤外光は、隣り合う２つの検出部２０によって検出される。なお光源部１０と検出部２０との数は、限定されず、どちらも少なくとも１つ配設されていればよい。ベルト６０の幅方向における光源部１０と検出部２０との配置位置も、特に限定されない。
【００２０】
［光源部１０］  
図３Ａと図３Ｂとに示すように、光源部１０は、例えば楕円筒形状を有し、板ばね部４０と連接し、板ばね部４０を介して支持部３０によって支持される光源収納部１１と、光源収納部１１に収納される光源接触部１３とを有する。光源部１０は、光源収納部１１に収納され、頭部５に向けて近赤外光を出射し、光源接触部１３に積層する光源本体部１４を有する。光源部１０は、光源収納部１１に収納され、光源本体部１４に積層する光源付勢部材１５と、光源収納部１１に取り付けられ、光源接触部１３と光源本体部１４と光源付勢部材１５とを保護するためにカバーする光源カバー部１６とを有する。
【００２１】
光源収納部１１は、光源部１０の軸方向において、光源収納部１１の前面１１ａ側から順に、光源接触部１３と光源本体部１４と光源付勢部材１５とを収納する。光源収納部１１は、光源収納部１１の楕円状の前面１１ａの中央に配設され、光源付勢部材１５の付勢力によって光源接触部１３が頭部５に接触するように突出する開口部１１ｂを有する。光源収納部１１は、板ばね部４０と連接する外周面１１ｃをさらに有する。光源収納部１１は、板ばね部４０によって頭部５に向かって押し付けられる。光源収納部１１は、筒形状であればよく、円筒形状であってもよい。この場合、前面１１ａは、楕円形状である。
【００２２】
本発明は、光源収納部１１が、光源収納部１１の外周面１１ｃ側に配設される光源櫛部１１ｅを有することを特徴とする。図７Ａと図７Ｂとに示すように、光源櫛部１１ｅが頭部５に向かって押し付けられる際に、光源櫛部１１ｅが一部の毛髪５ａに接触し、光源櫛部１１ｅは毛髪５ａを掻き分ける状態となる。その後、毛髪５ａを掻き分けた光源櫛部１１ｅは、図７Ｂに示すように、頭部５に向かって押し付けられる。光源櫛部１１ｅは、一部の毛髪５ａをとかすような形で頭皮から毛髪５ａを避けさせ、頭皮を露出させ頭部５の測定を可能とする。
【００２３】
図３Ａと図３Ｂとに示すように、光源櫛部１１ｅは、光源収納部１１の外周面１１ｃの全周または一部を取り囲むように配設される。このため、図３Ｂに示すように、光源櫛部１１ｅは外周面１１ｃに直接形成されるのではなく、光源櫛部１１ｅと外周面１１ｃとの間に間隙部１１ｇが形成され、光源櫛部１１ｅは外周面１１ｃから浮いたように配設される。光源収納部１１の周方向において、光源櫛部１１ｅ同士の間隔は、櫛のようにより狭いことが好適であり、均一であってもよいし不均一であってもよい。
光源櫛部１１ｅは、光源収納部１１の中心軸方向に沿って直線状に配設され、光源収納部１１の先端部から基端部まで配設される。より好ましくは、光源櫛部１１ｅの先端部は、光源収納部１１の先端部よりも前方（頭部５側）に位置し、光源収納部１１及び光源側パッド部材１２よりも先に毛髪５ａまたは頭部５に接触する。つまり光源櫛部１１ｅの先端部は、光源部１０のなかで最も早く毛髪５ａまたは頭部５に接触する。光源櫛部１１ｅの先端部は、平坦ではなく尖っていることが好ましい。
光源櫛部１１ｅは、柔らかい樹脂やプラスチック等のしなりやすい素材が好ましい。
図３Ａに示すように、光源櫛部１１ｅは、光源櫛部１１ｅの基端部において取付部材１１ｈに配設される。なお光源櫛部１１ｅは、取付部材１１ｈと一体であってもよいし着脱自在に別体であってもよい。取付部材１１ｈは、例えば、光源収納部１１の基端部に着脱自在に取り付けられる。取り付け方は、特に限定されないが、例えば、取付部材１１ｈがリング状で光源収納部１１の基端部が取付部材１１ｈに嵌め込まれてもよいし、取付部材１１ｈが板状で光源収納部１１の基端面と光源カバー部１６とに挟まれてもよい。このように、光源櫛部１１ｅは、光源収納部１１とは別体で、光源収納部１１に着脱自在に取り付けられる。
以上のような構造の光源櫛部１１ｅが配設されることにより、頭部５の毛髪５ａをより掻き分けやすくすることができる。
【００２４】
光源櫛部１１ｅが掻き分ける部位は、毛髪５ａに限定されることはない。この部位は、光源櫛部１１ｅ同士の間隔よりも細く、測定装置１が装着される頭部５などの被装着体の表面と光源部１０の測定面との間に介在する介在物である。測定面は、例えば、開口部１１ｂと平面部１１ｄとを含む前面１１ａ及び光源側パッド部材１２である。
【００２５】
光源接触部１３は、頭部５に接触し、光源本体部１４から出射された光を頭部５に導光する。
【００２６】
光源本体部１４は、例えば上述した７００ｎｍ〜１０００ｎｍの波長を有する近赤外光を出射するレーザダイオードを有しており、基板である。光源本体部１４は、光源接触部１３に向けて近赤外光を出射する。
【００２７】
光源付勢部材１５は、光源部１０の軸方向に付勢する付勢力を有する。光源付勢部材１５は、光源本体部１４を光源接触部１３に向けて付勢する。光源付勢部材１５は、光源接触部１３が開口部１１ｂから突出して頭部５に接触するように、光源本体部１４を介して光源接触部１３を付勢する。光源付勢部材１５は、例えば、樹脂性のバネであってもよいし、ステンレス製等の金属材でも良く、付勢力を有していればどのような材質や形状でもよい。
【００２８】
光源カバー部１６は、例えば、蓋である。
【００２９】
図３Ａと図３Ｂとに示すように、光源部１０は、光源収納部１１の前面１１ａに配設され、板ばね部４０が光源部１０（光源収納部１１）を頭部５に押し付けた際に、頭部５に貼り付いて密着するリング状の光源側パッド部材１２を有する。頭部５に密着する光源側パッド部材１２の密着部分は、頭部５に対向する部分のみである。光源側パッド部材１２は、前面１１ａの周縁に沿って配設される。光源側パッド部材１２の外径は、前面１１ａの外径よりも小さくてもよい。光源側パッド部材１２は、前面１１ａの開口部１１ｂ以外の平面部１１ｄに配置されることが好適である。光源側パッド部材１２の中空部と開口部１１ｂとは、同一直線上に配設される。光源側パッド部材１２の形状は、光源本体部１４から出射される近赤外光を遮光せず、頭部５に貼り付くことができれば、リング状に限定されることはない。
【００３０】
光源側パッド部材１２は、弾力性と外光を遮光する遮光性と対薬性とを有しており、例えばゲルまたはシリコンゴムといった素材によって形成される。光源側パッド部材１２は、アルコールなどで洗浄可能である。
【００３１】
光源側パッド部材１２が光源収納部１１を介する板ばね部４０の押し付けによって頭部５に押し付けられて頭部５に貼り付き、光源付勢部材１５の付勢力によって光源接触部１３と光源本体部１４とが移動し、光源接触部１３がこの付勢力と光源収納部１１を介する板ばね部４０の押し付けとによって頭部５に接触すると、頭部５への接触力が実現される。
【００３２】
光源本体部１４が近赤外光を光源接触部１３に向かって出射した際、近赤外光は、光源接触部１３によって導光され、頭部５に向けて出射される。このとき光源部１０（光源側パッド部材１２及び光源接触部１３）が光源付勢部材１５の付勢力と板ばね部４０の押し付けとによって頭部５に貼り付き、光源側パッド部材１２は遮光性を有し、光源接触部１３が近赤外光を導光し、近赤外光が開口部１１ｂを通じて出射されるため、頭部５には光源本体部１４から出射された近赤外光のみが照射され、この近赤外光以外の光が頭部５に照射されることが防止される。
【００３３】
［検出部２０］  
検出部２０の構造は、検出接触部２３と検出本体部２４とを除き、光源部１０の構造と略同一である。  
図３Ａと図３Ｂとに示すように、検出部２０は、例えば楕円筒形状を有し、板ばね部４０と連接し、板ばね部４０を介して支持部３０によって支持される検出収納部２１と、検出収納部２１に収納される検出接触部２３とを有する。検出部２０は、検出収納部２１に収納され、光源本体部１４から出射された後に脳によって拡散反射された近赤外光を検出し、検出接触部２３に積層する検出本体部２４を有する。検出部２０は、検出収納部２１に収納され、検出本体部２４に積層する検出付勢部材２５と、検出収納部２１に取り付けられ、検出接触部２３と検出本体部２４と検出付勢部材２５とを保護するためにカバーする検出カバー部２６とを有する。
【００３４】
検出収納部２１は、検出部２０の軸方向において、検出収納部２１の前面２１ａ側から順に、検出接触部２３と検出本体部２４と検出付勢部材２５とを収納する。検出収納部２１は、検出収納部２１の楕円状の前面２１ａの中央に配設され、検出付勢部材２５の付勢力によって検出接触部２３が頭部５に接触するように突出する開口部２１ｂを有する。検出収納部２１は、板ばね部４０と連接する外周面２１ｃをさらに有する。検出収納部２１は、板ばね部４０によって頭部５に向かって押し付けられる。検出収納部２１は、筒形状であればよく、円筒形状であってもよい。この場合、前面２１ａは、楕円形状である。
【００３５】
本発明は、検出収納部２１が、検出収納部２１の外周面２１ｃ側に配設される検出櫛部２１ｅを有することを特徴とする。図７Ａと図７Ｂとに示す光源櫛部１１ｅ同様に、検出櫛部２１ｅが頭部５に向かって押し付けられる際に、検出櫛部２１ｅが一部の毛髪５ａに接触し、検出櫛部２１ｅは毛髪５ａを掻き分ける状態となる。その後、毛髪５ａを掻き分けた検出櫛部２１ｅは、図７Ｂに示す光源櫛部１１ｅ同様に、頭部５に向かって押し付けられる。検出櫛部２１ｅは、一部の毛髪５ａをとかすような形で頭皮から毛髪５ａを避けさせ、頭皮を露出させ頭部５の測定を可能とする。
【００３６】
図３Ａと図３Ｂとに示すように、検出櫛部２１ｅは、検出収納部２１の外周面２１ｃの全周または一部を取り囲むように配設される。このため、図３Ｂに示すように、検出櫛部２１ｅは外周面２１ｃに直接形成されるのではなく、検出櫛部２１ｅと外周面２１ｃとの間に間隙部２１ｇが形成され、検出櫛部２１ｅは外周面２１ｃから浮いたように配設される。検出収納部２１の周方向において、検出櫛部２１ｅ同士の間隔は、櫛のようにより狭いことが好適であり、均一であってもよいし不均一であってもよい。
検出櫛部２１ｅは、検出収納部２１の中心軸方向に沿って直線状に配設され、検出収納部２１の先端部から基端部まで配設される。より好ましくは、検出櫛部２１ｅの先端部は、検出収納部２１の先端部よりも前方（頭部５側）に位置し、検出収納部２１及び検出側パッド部材２２よりも先に毛髪５ａまたは頭部５に接触する。つまり検出櫛部２１ｅの先端部は、検出部２０のなかで最も早く毛髪５ａまたは頭部５に接触する。検出櫛部２１ｅの先端部は、平坦ではなく尖っていることが好ましい。
検出櫛部２１ｅは、柔らかい樹脂やプラスチック等のしなりやすい素材が好ましい。
図３Ａに示すように、検出櫛部２１ｅは、検出櫛部２１ｅの基端部において取付部材２１ｈに配設される。なお検出櫛部２１ｅは、取付部材２１ｈと一体であってもよいし着脱自在に別体であってもよい。取付部材２１ｈは、例えば、検出収納部２１の基端部に着脱自在に取り付けられる。取り付け方は、特に限定されないが、例えば、取付部材２１ｈがリング状で検出収納部２１の基端部が取付部材２１ｈに嵌め込まれてもよいし、取付部材２１ｈが板状で検出収納部２１の基端面と検出カバー部２６とに挟まれてもよい。このように、検出櫛部２１ｅは、検出収納部２１とは別体で、検出収納部２１に着脱自在に取り付けられる。
以上のような構造の検出櫛部２１ｅが配設されることにより、頭部５の毛髪５ａをより掻き分けやすくすることができる。
【００３７】
検出櫛部２１ｅが掻き分ける部位は、毛髪５ａに限定されることはない。この部位は、検出櫛部２１ｅ同士の間隔よりも細く、測定装置１が装着される頭部５などの被装着体の表面と検出部２０の測定面との間に介在する介在物である。測定面は、例えば、開口部２１ｂと平面部２１ｄとを含む前面２１ａ及び検出側パッド部材２２である。
【００３８】
検出接触部２３は、頭部５に接触し、光源本体部１４から光源接触部１３を通じて頭部５に向けて出射され、頭部５から反射された近赤外光を、検出接触部２３を通じて検出本体部２４に導光する。
【００３９】
検出本体部２４は、検出接触部２３によって導光された近赤外光を受光及び検出する基板である。検出本体部２４は、近赤外光を基に脳機能を測定する。このように測定部７は、測定した近赤外光を基に、脳機能を計測する。
【００４０】
検出付勢部材２５は、検出部２０の軸方向に付勢する付勢力を有する。検出付勢部材２５は、検出本体部２４を検出接触部２３に向けて付勢する。検出付勢部材２５は、検出接触部２３が開口部２１ｂから突出して頭部５に接触するように、検出本体部２４を介して検出接触部２３を付勢する。検出付勢部材２５は、例えば、樹脂性のバネであってもよいし、ステンレス製等の金属材でも良く、付勢力を有していればどのような材質や形状でもよい。
【００４１】
検出カバー部２６は、例えば、蓋である。
【００４２】
図３Ａと図３Ｂとに示すように、検出部２０は、検出収納部２１の前面２１ａに配設され、板ばね部４０が検出部２０（検出収納部２１）を頭部５に押し付けた際に、頭部５に貼り付いて密着するリング状の検出側パッド部材２２を有する。頭部５に密着する検出側パッド部材２２の密着部分は、頭部５に対向する部分のみである。検出側パッド部材２２は、前面２１ａの周縁に沿って配設される。検出側パッド部材２２の外径は、前面２１ａの外径よりも小さくてもよい。検出側パッド部材２２は、前面２１ａの開口部２１ｂ以外の平面部２１ｄに配置されることが好適である。検出側パッド部材２２の中空部と開口部２１ｂとは、同一直線上に配設される。検出側パッド部材２２の形状は、頭部５を反射した近赤外光を遮光せず、頭部５に貼り付くことができれば、リング状に限定されることはない。
【００４３】
検出側パッド部材２２は、光源側パッド部材１２と同様に弾力性と遮光性と対薬性とを有しており、例えばゲルまたはシリコンゴムといった素材によって形成される。検出側パッド部材２２は、アルコールなどで洗浄可能である。
【００４４】
検出側パッド部材２２が検出収納部２１を介する板ばね部４０の押し付けによって頭部５に押し付けられて頭部５に貼り付き、検出付勢部材２５の付勢力によって検出接触部２３と検出本体部２４とが移動し、検出接触部２３がこの付勢力と検出収納部２１を介する板ばね部４０の押し付けとによって頭部５に接触すると、頭部５への接触力が実現される。
【００４５】
検出部２０（検出側パッド部材２２及び検出接触部２３）が検出付勢部材２５や板ばね部４０の押し付けによって頭部５に接触し、検出側パッド部材２２は遮光性を有し、検出接触部２３が検出側パッド部材２２と開口部２１ｂとを通じて近赤外光を導光するため、検出本体部２４は、光源本体部１４から出射され、頭部５から反射した近赤外光のみを受光する。またこのような構成は、検出本体部２４が外光を受光することを防止している。
【００４６】
なお、後述する図５に示すように、光源本体部１４にはケーブル８０ａが接続され、検出本体部２４にはケーブル８１ａが接続される。
【００４７】
［板ばね部４０］  
図３Ａと図３Ｂとに示すように、板ばね部４０は、光源部１０と検出部２０とが互いに一体となるように光源収納部１１の外周面１１ｃと検出収納部２１の外周面２１ｃとに連接している。板ばね部４０は、光源部１０と検出部２０とを一体にして光源部１０と検出部２０とを頭部５に密着させるために、光源部１０と検出部２０とを頭部５に押し付ける。詳細には板ばね部４０は、光源側パッド部材１２と光源接触部１３と検出側パッド部材２２と検出接触部２３とを頭部５に密着させるために、光源収納部１１と検出収納部２１とを頭部５に押し付ける押し付け部として機能する。
【００４８】
図示はしないが、板ばね部４０は、頭部５の周囲方向に略直交する傾斜方向における凸凹と、例えば額における頭部５の傾斜といった頭部５の曲率とに対して、光源部１０（光源側パッド部材１２及び光源接触部１３）と、検出部２０（検出側パッド部材２２及び検出接触部２３）と、を頭部５に密着させるために、光源部１０（光源収納部１１）と検出部２０（検出収納部２１）とを頭部５に押し付ける押し付け力（自在性）を有する。板ばね部４０は、押し付け力によって、光源部１０（光源側パッド部材１２及び光源接触部１３）と検出部２０（検出側パッド部材２２及び検出接触部２３）とを、頭部５に向けて直接押し付けているのではなく、光源側パッド部材１２と光源接触部１３と検出側パッド部材２２と検出接触部２３とが頭部５に密着するように押し付け力によって頭部５に対する光源部１０（光源収納部１１）及び検出部２０（検出収納部２１）の角度を調整していることとなる。例えば、板ばね部４０は、板ばね部４０自身が押し付け力によって「く」の字のように折れ曲がることによって、頭部５に対する光源部１０及び検出部２０の角度を調整していることとなる。
【００４９】
なお板ばね部４０の自在性は、大人と子供との頭部５に応じて光源部１０と検出部２０とを、頭部５に密着させるように所望に調整できることが好適である。
【００５０】
［支持部３０及びリンク機構５０］  
図４に示すような１つの支持部３０は、板ばね部４０を介して１組の光源部１０と検出部２０とを図３Ａと図３Ｂとに示すような１つのユニットとして支持する。このため支持部３０は、１組の光源部１０と検出部２０と同数である。このように支持部３０と、支持部３０によって支持される１組の光源部１０と検出部２０と板ばね部４０とは、１つのユニットを構成する。支持部３０は、例えば樹脂または金属などの硬質材料で形成される。
【００５１】
図４に示すように支持部３０は、ベルト６０の長手方向に沿って並設される。支持部３０同士は、数珠繋ぎである。詳細には、隣り合っている（ベルト６０の長手方向に沿って隣り合って配設される）支持部３０同士は、回動軸３１によって頭部５の周囲方向に回動可能に連結される。このように支持部３０が互いに回動軸３１によって回動可能に連結されることで、湾曲（回動）可能なリンク機構（支持フレーム構造）５０は形成される。
【００５２】
言い換えるとリンク機構５０は、図１と図２とに示すように、頭部５の周囲方向に沿って光源部１０と検出部２０とが互い違いに配設されるように支持部３０同士を数珠繋ぎに連結する。さらに言い換えると、リンク機構５０は、支持部３０を有し、回動軸３１によって頭部５の周囲方向に回動可能である。このためリンク機構５０は、支持部３０を通じて光源部１０と検出部２０とを頭部５に密着させるために、上述した回動軸３１によって連結した支持部３０を頭部５の周囲方向に回動させる回動性を有していることとなる。
【００５３】
このようにリンク機構５０は、１組の光源部１０と検出部２０とがベルト６０の長手方向（頭部５の周囲（リンク機構５０の長手方向））に沿って光源部１０同士と検出部２０同士とが互いに隣り合わないように互い違い且つ等間隔に配設されるように、支持部３０を有する。言い換えると、リンク機構５０は、帯状に配設される。
【００５４】
なお図１に示すように、両端に配設されている支持部３０は、測定装置１を頭部５に装着させるベルト６０に連結される。そして、ベルト６０の長手方向に沿って支持部３０同士が隣り合って配設され、支持部３０はリンク機構５０に配設されることとなる。
【００５５】
［制御ユニットと電源ユニットと中継ユニット］  
測定装置１は、支持部３０とリンク機構５０とに配設される制御ユニットと電源ユニットと中継ユニットとを有する。制御ユニットは光源部１０及び検出部２０を制御し、電源ユニットは光源部１０及び検出部２０に電力を供給し、中継ユニットは例えば光源部１０同士の電気的な接続を中継し及び検出部２０同士の電気的な接続を中継する。
【００５６】
図１と図２と図４と図５とに示すように、ベルト６０の長手方向において、両端に配設される支持部３０において、一端に配設される支持部３０には制御ユニットの制御基板収納部７１ａが配設され、他端に配設される支持部３０には電源ユニットの電源収納部７１ｂが配設される。制御基板収納部７１ａと支持部３０、及び電源収納部７１ｂと支持部３０とは、支持部３０同士と同様に数珠繋ぎである。つまり制御基板収納部７１ａと支持部３０、及び電源収納部７１ｂと支持部３０とは、回動軸３１によって頭部５の周囲方向に回動可能に連結される。
【００５７】
図５に示すように制御基板収納部７１ａには、光源本体部１４を通じて光源部１０を制御する制御ユニットの光源制御基板部７３ａと、検出本体部２４を通じて検出部２０を制御する制御ユニットの検出制御基板部７３ｂとが収納される。光源制御基板部７３ａは、検出制御基板部７３ｂに積層する。図１に示すように制御基板収納部７１ａには、光源制御基板部７３ａと検出制御基板部７３ｂとを保護する制御ユニットの保護部７５ａが配設される。保護部７５ａは、蓋として機能し、例えば平板状の基板である。制御ユニットは、全ての測定部７に対して共有される。
【００５８】
図５に示すように電源収納部７１ｂには、光源本体部１４を通じて光源部１０に電力を供給し、検出本体部２４を通じて検出部２０に電力を供給する電源ユニットの電源７４が収納される。図１に示すように電源収納部７１ｂには、電源７４を保護する電源ユニットの保護部７５ｂが配設される。保護部７５ｂは、蓋として機能し、例えば平板状の基板である。電源ユニットは、全ての測定部７に対して共有される。
【００５９】
図４に示すように各支持部３０には、中継ユニットの図示しない中継基板収納部７２が配設されている。この中継基板収納部７２は、列状に配設されている光源部１０同士の電気的な接続を中継し、及び列状に配設されている検出部２０同士の電気的な接続を中継する中継基板部７７を収納する。図１に示すように、中継基板収納部７２には、中継基板部７７を保護するため、中継ユニットの保護部７５ｃが配設される。保護部７５ｃは、蓋として機能し、例えば平板状の基板である。１つの中継ユニット（中継基板収納部７２と中継基板部７７と保護部７５ｃ）とは、１つの測定部７及び支持部３０毎に配設される。
【００６０】
図４に示すように中継基板収納部７２は、ベルト６０の長手方向において制御基板収納部７１ａと電源収納部７１ｂとの間に配設される。つまり中継基板収納部７２に対応する検出部２０と、検出部２０と対の関係で支持部３０に支持されている光源部１０とも制御基板収納部７１ａと電源収納部７１ｂとの間に配設されることとなる。
【００６１】
図５に示すように光源制御基板部７３ａには、ケーブル８０が接続される。このケーブル８０は、ベルト６０の長手方向に沿って支持部３０を挿通し、リンク機構５０に配設される。
【００６２】
図示の簡略化のために記載を省略するが、ケーブル８０は、中継基板部７７に接続される。この中継基板部７７には、光源本体部１４に接続されるケーブル８０ａが接続される。光源制御基板部７３ａは、ケーブル８０と中継基板部７７とケーブル８０ａとを介して光源本体部１４に接続され、光源部１０を制御する。
【００６３】
図５に示すように検出制御基板部７３ｂには、ケーブル８１が接続される。このケーブル８１は、ケーブル８０と同様に、ベルト６０の長手方向に沿って支持部３０を挿通し、リンク機構５０に配設される。このケーブル８１は、中継基板部７７に接続される。この中継基板部７７には、検出部２０の検出本体部２４に接続されるケーブル８１ａも接続される。検出制御基板部７３ｂは、ケーブル８１と中継基板部７７とケーブル８１ａとを介して検出本体部２４に接続され、検出部２０を制御する。
【００６４】
図５に示すように電源７４には、ケーブル８２が接続されている。このケーブル８２は、ケーブル８０，８１ａと同様に、ベルト６０の長手方向に沿って支持部３０を挿通し、リンク機構５０に配設される。このケーブル８２は、中継基板部７７に接続される。電源７４は、ケーブル８２と中継基板部７７とケーブル８０ａ，８１ａとを介して光源本体部１４と検出本体部２４とに接続され、光源部１０と検出部２０とに電力を供給する。
【００６５】
ケーブル８０，８１，８２は、頭部５の周囲よりも長い長さを有していることが好適である。ケーブル８０，８１，８２は、リンク機構５０の曲げ半径とほぼ同じ位置に配設される。リンク機構５０は、ベルト６０の長手方向に沿って、支持部３０を挿通しているケーブル８０，８１，８２を有することとなる。
【００６６】
図６に示すようにケーブル８０，８１，８２は、ヒシチューブまたはスパイラルチューブ等の束部材８４によって束ねられる。この束部材８４とケーブル８０ａ，８１ａとは、ケーブルクランプ等のケーブル保持部材８３によってまとめて保持される。
【００６７】
［ベルト６０］  
図１と図２とに示すように、ベルト６０は、２つ配設されている。一方のベルト６０は、両端の一端に配設されている支持部３０に着脱自在に取り付けられる。一方のベルト６０は、制御基板収納部７１ａの内側に配設される。他方のベルト６０は、両端の他端に配設される支持部３０に着脱自在に取り付けられる。他方のベルト６０は、電源収納部７１ｂの内側に配設される。ベルト６０は、頭部５を締め付ける方向に伸縮自在である。ベルト６０は、交換可能である。
【００６８】
［作用］  
図２に示すように、測定装置１が頭部５に装着される際、光源部１０と検出部２０とは、制御基板収納部７１ａと電源収納部７１ｂとの間に配設されているために、制御基板収納部７１ａと電源収納部７１ｂとを指標に頭部５に容易に取り付けられる。制御基板収納部７１ａと電源収納部７１ｂとは、頭部５の側面側に配設される。このとき支持部３０は、頭部５に当接しない。
【００６９】
図２と図７Ａとに示すように、測定部７が頭部５の例えば前額部に配置される際、光源櫛部１１ｅは、前額部にかかる一部の毛髪５ａをとかすような形で頭皮から毛髪５ａを避けさせ、頭皮を露出させる。これにより、頭部５の測定が可能となる。この点は、検出櫛部２１ｅについても同様である。測定装置１が頭部５に対する位置調整のために例えば被験者によって頭部５に対してずらされた際に、図７Ｂに示すように、光源櫛部１１ｅは、毛髪５ａを掻き分けてもよい。光源櫛部１１ｅは、測定面の外側に毛髪５ａを押し出す。前記した内容は、検出櫛部２１ｅについても同様である。毛髪５ａが光源櫛部１１ｅと検出櫛部２１ｅとによって測定面の外側に押し出されることによって、毛髪５ａが測定面と前額部との間に挟まれることを抑制され、頭皮を露出させることができる。このため、近赤外光が毛髪５ａによって減衰せず、毛髪５ａによって測定に支障をきたすことや測定の精度が低下することが抑制される。
【００７０】
測定部７は、前額部に限定されることなく、頭頂部と側頭部と後頭部といった頭部５の他の部位に配置されてもよく、この場合も、光源櫛部１１ｅと検出櫛部２１ｅとは前記同様に毛髪５ａを掻き分けることができる。このように測定装置１の測定精度の低下が抑制された状態で、測定装置１の測定範囲は頭部５全体に広がる。そして、測定装置１は、前額部と頭頂部と側頭部と後頭部とに対応する脳機能に関する計測及び研究を可能とする。
【００７１】
なお測定装置１は毛髪５ａを有する生体に装着されて生体機能を測定する際、測定装置１は毛髪５ａによって測定に支障をきたすことが防止される。このため、測定装置１の利用範囲は広がる。
【００７２】
光源櫛部１１ｅは、光源収納部１１の全長及び全周に渡って配設される。このため、毛髪５ａは、確実に光源櫛部１１ｅによって掻き分けられる。この点は、検出櫛部２１ｅについても同様である。
【００７３】
前面１１ａ，２１ａを含む測定面は、楕円である。測定面が円形であり、円形の半径と楕円の長辺とが同じ長さである場合、楕円の測定面の面積は、円形の測定面の面積よりも小さくなり、毛髪５ａが挟まれる割合が少なくなるため、測定面は円形よりも楕円の方が好ましい。
【００７４】
支持部３０同士と、支持部３０と制御基板収納部７１ａと、支持部３０と電源収納部７１ｂとは、数珠繋ぎであり、回動軸３１によって回動可能に連結されている。つまりリンク機構５０は、回動軸３１によって湾曲可能であり、光源部１０と検出部２０とを頭部５に密着させるために頭部５の周囲方向に回動する回動性を有している。このため、このリンク機構５０は、頭部５の周方向の大きさの違いに対して、リンク機構５０の回動性によって、頭部５の周囲に沿うようにして測定装置１を密着（装着）させる。
【００７５】
板ばね部４０は、個人差の大きい頭部５の曲率（凸凹）と、リンク機構５０と、の間に形成されるずれ角θ１（図示せず）を板ばね部４０のねじれによって０にするように補正する。ずれ角θ１は、頭部５の周囲方向やベルト６０の長手方向における角度をいう。
【００７６】
上述したように板ばね部４０は、光源部１０（光源側パッド部材１２及び光源接触部１３）と検出部２０（検出側パッド部材２２及び検出接触部２３）とを頭部５に密着させるために押し付ける押し付け力（自在性）を有する。このため、板ばね部４０は、頭部５の周囲方向に略直交する傾斜方向における凸凹と、例えば額における頭部５の傾斜といった頭部５の曲率とによって生じ、光源部１０（光源側パッド部材１２及び光源接触部１３）と頭部５との間に形成されるずれ角θ２（図示せず）と、上述した凸凹と曲率とによって生じ、検出部２０（検出側パッド部材２２や検出接触部２３）と頭部５との間に形成されるずれ角θ２とを０にするようにさらに補正する。
【００７７】
このように、光源部１０と検出部２０とは、リンク機構５０と板ばね部４０とによって頭部５の周囲に沿うようにして頭部５に隙間なく容易に密着し、頭部５に対してずれることなく安定して密着する。
【００７８】
よって、様々なタイプの頭部５に対する測定部７の密着度は、より容易且つより簡単に確保されることとなる。
【００７９】
このとき光源部１０と検出部２０とは、光源側パッド部材１２と検出側パッド部材２２とによって頭部５への密着度が高められている。また上述したように光源側パッド部材１２と検出側パッド部材２２とは、弾力性を有しているために板ばね部４０による頭部５への必要以上の押し付け力を軽減する。これにより測定装置１は、頭部５への必要以上の押し付け力を軽減する。
【００８０】
この状態で近赤外光は、光源本体部１４から出射され、光源接触部１３によって導光され、頭部５に向けて出射される。このとき、光源側パッド部材１２と光源接触部１３とが光源付勢部材１５と板ばね部４０とによって頭部５に接触し、光源側パッド部材１２は遮光性を有し、光源接触部１３が近赤外光を導光し、近赤外光が開口部１１ｂを通じて出射される。このため、頭部５には光源本体部１４から出射された近赤外光のみが照射され、この近赤外光以外の光が頭部５に照射されることが防止される。
【００８１】
その後、近赤外光は、脳によって拡散反射され、検出接触部２３によって導光され、検出本体部２４によって受光及び検出される。なお検出側パッド部材２２と検出接触部２３とが検出付勢部材２５と板ばね部４０とによって頭部５に接触し、検出側パッド部材２２は遮光性を有する。このために、検出本体部２４は、頭部５から反射した近赤外光以外の光を受光することが防止される。
【００８２】
検出本体部２４は、近赤外光を検出し、この検出結果を基に脳機能を測定する。測定装置１は、測定結果を、有線ケーブル２を介して制御装置３に送信する。制御装置３は、例えば無線によって測定結果を測定本体装置１１０に送信する。そして測定結果は、測定本体装置１１０によって管理される。
【００８３】
［効果］  
本実施形態では、光源櫛部１１ｅと検出櫛部２１ｅとに垂れ下がる毛髪５ａを光源櫛部１１ｅと検出櫛部２１ｅとによって掻き分けることができ、毛髪５ａが測定面と頭部５との間に挟まれることを抑制でき、頭部５が露出することで近赤外光が毛髪５ａによって減衰せず、毛髪５ａによって測定に支障をきたすことや測定の精度が低下することを抑制できる。
【００８４】
本実施形態では、測定装置１の測定精度の低下が抑制された状態で、光源櫛部１１ｅと検出櫛部２１ｅとによって、測定装置１の測定範囲を有髪部も含めた頭部５全体に広げることができる。このように、測定装置１は、前額部と頭頂部と側頭部と後頭部とに対応する脳機能に関する計測及び研究を可能にできる。
【００８５】
本実施形態では、測定装置１は毛髪５ａを有する生体に装着されて生体機能を測定する際、測定装置１は毛髪５ａによって測定に支障をきたすことが防止される。このため、測定装置１の利用範囲を広げることができる。
【００８６】
本実施形態では、光源櫛部１１ｅは、光源収納部１１の全長及び全周に渡って配設される。このため、毛髪５ａを、確実に光源櫛部１１ｅによって掻き分けることができる。この点は、検出櫛部２１ｅについても同様である。
【００８７】
本実施形態では、前面１１ａ，２１ａを含む測定面は、楕円である。測定面が円形であり、円形の半径と楕円の長辺とが同じ長さである場合、楕円の測定面の面積を、円形の測定面の面積よりも小さくでき、毛髪５ａが挟まれる割合をより少なくできる。
【００８８】
本実施形態では、支持部３０同士と、支持部３０と制御基板収納部７１ａと、支持部３０と電源収納部７１ｂとを数珠繋ぎにする（回動軸３１によって回動可能にする）ことによって、湾曲可能なリンク機構５０を形成する。これにより本実施形態では、リンク機構５０によって頭部５の周囲に沿うようにして測定部７を頭部５に密着できると共に、測定装置１を容易に頭部５に密着させることができる。
【００８９】
本実施形態では、板ばね部４０は、自在性を有する。これにより本実施形態では、板ばね部４０によって光源部１０（光源側パッド部材１２及び光源接触部１３）と検出部２０（検出側パッド部材２２及び検出接触部２３）とを頭部５に向けて押し付け、光源部１０と検出部２０とを頭部５に対してずれることなく安定させて密着させることができる。
【００９０】
これらにより本実施形態では、測定装置１を頭部５に容易に装着でき、脳機能を容易に測定することができる。
【００９１】
本実施形態では、大人の頭部５と子供の頭部５とのように、頭部５の大きさや形状が異なっていても、リンク機構５０と板ばね部４０とによって光源部１０（光源側パッド部材１２及び光源接触部１３）と検出部２０（検出側パッド部材２２及び検出接触部２３）とを安定させて頭部５に密着させることができる。これにより本実施形態では、大人であっても子供であっても測定装置１によって脳機能を安定して計測することができる。
【００９２】
本実施形態では、光源側パッド部材１２と検出側パッド部材２２とによって光源部１０と検出部２０との頭部５への密着度を高めることができる。
【００９３】
本実施形態では、１組の光源部１０と検出部２０とを、ベルト６０の長手方向に沿って光源部１０同士または検出部２０同士が隣り合わないように互い違い且つ等間隔に配設されるために、様々な方向から近赤外光を頭部５に向けて照射でき、より確実に近赤外光を検出することができるために、より高精度に脳機能を測定することができる。
【００９４】
本実施形態は、光源部１０と検出部２０とを予め等間隔に配設させるために脳全体を均等に測定することができる。なお等間隔に限定する必要はなく、所望な間隔で配設されていてもよい。
【００９５】
本実施形態では、光源部１０と検出部２０とを制御基板収納部７１ａと電源収納部７１ｂとの間に配設し、光源部１０と検出部２０とを対としているために、制御基板収納部７１ａと電源収納部７１ｂとを指標に測定装置１を頭部５に容易に取り付けることができる。
【００９６】
本実施形態では、光源部１０と検出部２０とを額側に装着させ、制御基板収納部７１ａと電源収納部７１ｂとを頭部５の側面側に配設する。これにより本実施形態では、装着させる際の測定装置１のバランスを向上させることができ、大人や子供といった被験者への疲れを低減させることができる。
【００９７】
本実施形態では、支持部３０同士と、支持部３０と制御基板収納部７１ａと、支持部３０と電源収納部７１ｂとを数珠繋ぎとし、リンク機構５０を回動可能にし、測定装置１（リンク機構５０）を携帯型且つ帯状にしている。このため本実施形態では、例えば帽子のように頭部５全体を覆う測定装置１に比べて、測定装置１を軽量にすることができ、被験者への疲れを低減させることができる。
【００９８】
本実施形態では、リンク機構５０を帯状にしているために、頭部５に容易に密着且つ装着でき、脳機能を容易に測定することができる。
【００９９】
本実施形態では測定装置１と測定本体装置１１０とは、制御装置３を介して無線によって接続されている。このため本実施形態では、制御装置３と測定本体装置１１０とが光ファイバなどの有線ケーブルで接続されている場合に比べて、測定装置１と測定本体装置１１０の間の距離がケーブルの長さによって制限されておらず、この距離に影響されることなく脳機能を測定できる。
【０１００】
本実施形態では、据え置きタイプではなく、携帯型であるために、持ち運びが容易で、さらに脳機能を測定するためのスペースを小さくすることができる。
【０１０１】
本実施形態では、ベルト６０を交換可能であるために、ベルト６０が劣化しても光源部１０と検出部２０と支持部３０とを再利用することができ、測定装置１を安価にすることができる。また本実施形態では、ベルト６０を交換可能であるために、常に清潔なベルト６０を利用することで、頭部５に対する清潔さを保持することができる。
【０１０２】
なお本実施形態では、ベルト６０を両端に配設されている支持部３０に連結させているが、これに限定する必要はない。例えば本実施形態では、ベルト６０を制御基板収納部７１ａと電源収納部７１ｂとに連結させてもよい。
【０１０３】
なお測定部７は、１つ以上配設されていればよい。また測定部７が頭部５に密着できれば、測定部７の配置位置はベルト６０の長手方向において特に限定されず、測定部７同士の間隔も特に限定されない。これにより、本実施形態では、測定の自由度を向上できる。
【０１０４】
図示はしないが、ベルト６０は、頭部５に当接するベルト６０の内側に貼り付けられている凸凹形状の弾性部材と、弾性部材の凸部に貼り付けられ、頭部５への密着性を高める吸湿性部材とを有してもよい。図示はしないが、ベルト６０は、装着される頭囲に対するベルト６０のサイズを調整する調整フックを有する調整部と、所望の弾性力を有し、頭部５を締め付ける方向に伸縮自在なゴムバンドとを有してもよい。
【０１０５】
弾性部材は、例えばゴムなどであり、凹部において通気溝を有する。吸湿性部材は、頭部５に当て付けるアテシートである。吸湿性部材は、吸湿性を有する。弾性部材と吸湿性部材とは、同時成形であってもよい。
【０１０６】
ベルト６０は、ゴムバンドによって頭部５を締め付ける方向に伸縮自在である。ベルト６０は、交換可能である。
【０１０７】
本実施形態では、調整フックとゴムバンドとによって頭部５の大きさ及び形状が頭部５ごとに異なっていても、測定装置１を容易に頭部５に装着できる。本実施形態では、吸湿性部材によって測定装置１を頭部５の周囲に密着させることができる。これらにより本実施形態では、測定装置１によって脳機能を容易に測定できる。
【０１０８】
本実施形態では、調整フックとゴムバンドとによって、測定装置１を容易に着脱自在にできる。
【０１０９】
本実施形態では、頭部５に当接するベルト６０の内側に弾性部材を貼り付けることで、測定装置１を頭部５に密着させることができる。
【０１１０】
本実施形態では、通気溝によって、測定装置１を頭部５に長時間装着させても、蒸れとかぶれとを防止することができる。
【０１１１】
本実施形態では、測定装置１を頭部５に密着させる際に、吸湿性部材によって測定装置１による頭部５の痛みを軽減することができる。
【０１１２】
測定装置１は、ヘルメットまたはスポーツヘッドギアに装着され、頭部５に間接的に装着されてもよい。
【０１１３】
［第２の実施形態］  
［構成］  
図８Ａと図８Ｂと図８Ｃとを参照して、第２の実施形態について説明する。本実施形態では、第１の実施形態とは異なる部分のみ記載する。
【０１１４】
光源収納部１１は、光源収納部１１の外周面１１ｃに配設される複数の光源羽板部１１ｆを有する。光源羽板部１１ｆは、例えば２つ配設されるが、光源収納部１１の中心軸を中心に対称に配設されていればよい。光源羽板部１１ｆは、例えばネジによって外周面１１ｃに着脱自在に固定される基端部と、光源収納部１１の先端部よりも前方である頭部５に向かって突出している先端部とを有する。光源羽板部１１ｆは、薄い板部であり、外力が光源羽板部１１ｆにかからない状態では平板状であるが、外力によって曲がる。光源羽板部１１ｆは、外周面１１ｃに沿って配設される。このような光源羽板部１１ｆは、例えば、プラスチック、または熱可塑性の樹脂によって形成される。
【０１１５】
検出収納部２１は、検出収納部２１の外周面２１ｃに配設される複数の検出羽板部２１ｆを有する。検出羽板部２１ｆは、光源羽板部１１ｆと同様の構成であるため、詳細な説明は省略する。
【０１１６】
［作用］  
例えば光源部１０が頭部５の前額部に配置される際、図８Ｂと図８Ｃとに示すように、光源羽板部１１ｆは光源側パッド部材１２よりも先に前額部に押し付けられる。そして、図８Ｃに示すように、光源羽板部１１ｆは、押し付けによって光源収納部１１の外側に曲がり、毛髪５ａを掻き分ける。言い換えると、光源羽板部１１ｆは、押し付けによって曲がり、測定面の外側に毛髪５ａを押し出す。なお前記内容は、検出部２０及び検出羽板部２１ｆについても同様である。このため、光源羽板部１１ｆと検出羽板部２１ｆとは、測定面と前額部との間に毛髪５ａが挟まれることを抑制する。よって、近赤外光が毛髪５ａによって減衰せず、毛髪５ａによって測定に支障をきたすことや測定の精度が低下することが抑制される。
【０１１７】
［効果］  
本実施形態では、光源収納部１１と検出収納部２１とを直接加工するわけではなく、光源羽板部１１ｆと検出羽板部２１ｆとによって、第１の実施形態と同様の効果を安価且つ容易に得ることができる。
【０１１８】
本実施形態では、光源収納部１１は、光源収納部１１の先端部から光源収納部１１の基端部に向かって徐々に太くなっていてもよい。この点は、検出収納部２１についても同様である。また、光源羽板部１１ｆと検出羽板部２１ｆとの形状は必ずしも長方形でなくてもよく、先端部の長さが一方辺と他方辺とで互いに異なる台形型でもよい。これにより、毛髪５ａの接する部位が傾斜するため、頭部のような丸みを帯びた形状にフィットしやすく髪を掻き分けやすい。
【０１１９】
さらに光源羽板部１１ｆは光源櫛部１１ｅのような形状を有し、検出羽板部２１ｆは検出櫛部２１ｅのような形状を有してもよい。この場合、光源櫛部１１ｅと検出櫛部２１ｅとは、ネジを避けるように配設される。
【０１２０】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【０１２１】
１…生体測定装置、２…有線ケーブル、３…制御装置、５…頭部、７…測定部、１０…光源部、１１ｅ…光源櫛部、２０…検出部、２１ｅ…検出櫛部、３０…支持部、４０…板ばね部、５０…リンク機構、６０…ベルト、１００…生体測定システム、１１０…測定本体装置。
【図１】
2017042200.tif 000003
【図２】
2017042200.tif 000004
【図３Ａ】
2017042200.tif 000005
【図３Ｂ】
2017042200.tif 000006
【図４】
2017042200.tif 000007
【図５】
2017042200.tif 000008
【図６】
2017042200.tif 000009
【図７Ａ】
2017042200.tif 000010
【図７Ｂ】
2017042200.tif 000011
【図８Ａ】
2017042200.tif 000012
【図８Ｂ】
2017042200.tif 000013
【図８Ｃ】
2017042200.tif 000014